(57)【要約】【課題】  流体通過抵抗の増大を抑制しながら流体中の浮遊物の浮遊効率を飛躍的に大きくするとともに、より細かい浮遊物を回収できるよう形成した新規な構成のフィルタを提供すること。【解決手段】  心材１１の表面に流体中の浮遊物を捕集する修飾部材１２を施した濾過材と、濾過材１０を流体通過部に保持する枠部材２０とを備え、前記修飾部材１２は、流体通過方向に所定の寸法を有する空間部において流体を通過させる通路が多方向に形成されている。これにより流体が修飾部材１２を通過する際に、この修飾部材１２に形成された多方向の通路を通過するので、流体を通過させる通路全体の面積を大きく維持した状態で、個々の通路を小さくすることができる。【選択図】      図４
2007029800.tif 000002
【特許請求の範囲】
【請求項１】
心材の表面に流体中の浮遊物を捕集する修飾部材を施した濾過材と、濾過材を流体通過部に保持する枠部材とを備え、前記修飾部材は、流体通過方向に所定の寸法を有する空間部において流体を通過させる通路が多方向に形成されていることを特徴とするフィルタ。
【請求項２】
前記濾過材は、前記心材が柔軟性材料から構成され、長尺物として前記枠部材内に湾曲させて配置されていることを特徴とする請求項１記載のフィルタ。
【請求項３】
前記濾過材は、前記修飾部材で約１０ミクロン程度及びそれより大きい流体中の浮遊物を捕集できるように形成されていることを特徴とする請求項１又は２記載のフィルタ。
【請求項４】
前記濾過材は、心材の表面に線状部材からなる修飾部材が植毛により設けられて構成されていることを特徴とする請求項１〜３の何れか１項記載のフィルタ。
【請求項５】
前記濾過材は、心材の表面に線状部材からなる修飾部材が静電式の植毛により設けられて構成されていることを特徴とする請求項１〜４の何れか１項記載のフィルタ。
【請求項６】
前記濾過材は、前記心材が単線状に形成され、この心材の表面全周に前記修飾部材が放射状に設けられていることを特徴とする請求項５記載のフィルタ。
【請求項７】
前記濾過材は、前記修飾部材が複数本に分岐された形状であることを特徴とする請求項４〜６の何れか１項記載のフィルタ。
【請求項８】
前記濾過材は、フィルタの厚み方向に設けられている修飾部材の長さが他の方向に設けられている修飾部材の長さより短いことを特徴とする請求項４〜７の何れか１項記載のフィルタ。
【請求項９】
前記濾過材は、前記心材が樹脂により形成されていることを特徴とする請求項２〜８の何れか１項記載のフィルタ。
【請求項１０】
前記濾過材は、心材が環状に形成されて枠部材に固定されていることを特徴とする請求項１〜９の何れか１項記載のフィルタ。
【請求項１１】
前記濾過材は、心材の両端が固定部材に固定され、この固定部材が枠部材に固定されていることを特徴とする請求項１〜９の何れか１項記載のフィルタ。
【請求項１２】
前記濾過材は、表面が粘着処理されていることを特徴とする請求項１〜１１の何れか１項記載のフィルタ。
【請求項１３】
前記濾過材は、表面が帯電処理されていることを特徴とする請求項１〜１２の何れか１項記載のフィルタ。
【請求項１４】
請求項１〜１３の何れか１項記載のフィルタを用いたことを特徴とする空気調和機。
【発明の詳細な説明】
【技術分野】
【０００１】
本発明は、空気調和機等に用いられるフィルタ及びこれを用いた空気調和機に関する。
【背景技術】
【０００２】
従来のフィルタとしては、例えば、特許文献１に記載されているような空気調和機のエアフィルタがある。この空気調和機のエアフィルタは、ステンレス鋼線、銅線、黄銅線などから製作された金網で形成されているものが多く使用されている。また、このような金網では、網目が平面的に形成されていたので、浮遊物の捕集効率を大きく使用するためには、網目を小さくする必要があった。しかし、平面的な網目を小さくし過ぎると、網目を通過する風速が早くなって空気通過抵抗が大きくなるため、十分な風量が得られ難くなるという問題があった、また、網目に捕集された塵埃等の浮遊物が再飛散して浮遊物の捕集効率を低下させるという懸念もあった。
【０００３】
また、特許文献２に記載のように、平面的な編目構造に編んだ繊維部材の外表面にシリコーン樹脂又はフッ素樹脂をコーティングするとともに起毛を施したものが知られている。このフィルタによれば、編目構造に編んだ繊維部材により網目形状より大きい浮遊物を集塵することができる。また、シリコーン樹脂の有する粘着性により、又はフッ素樹脂の有する帯電性により網目で捕集された浮遊物の通り抜けを防止することができる。しかしながら、このフィルタは、起毛が浮遊物回収の補助手段として使用されているものであって、編目構造に編んだ繊維部材の網目より大きい浮遊物を捕集するものであった。したがって、細かい浮遊物を捕集するには平面的に形成された網目を細かくする必要があり、この場合も、前記金網の場合と同様に空気通過抵抗が大きくなるという問題があった。また、起毛は浮遊物捕集の補助手段として機能する程度であって、捕集効率を飛躍的に大きくすることができないものであった。
【特許文献１】特開２００２−５５０４号公報
【特許文献２】特開平８−２２４４１４号公報
【発明の開示】
【発明が解決しようとする課題】
【０００４】
以上のごとく、従来のフィルタは、平面的に形成された網目より大きい浮遊物を捕集するものであったので、塵埃等の浮遊物を捕集する捕集効率を飛躍的に大きくすることが困難であった。また、従来のフィルタは、網目を小さくし過ぎると、空気通過抵抗が大きくなり、浮遊物の捕集効率も大きくすることが困難であった。
【０００５】
本発明は、従来技術に存在するこのような問題点に着目してなされたものであって、空気等の流体通過抵抗の増大を抑制しながら流体中の浮遊物の捕集効率を飛躍的に大きくするとともに、より細かい浮遊物を捕集できるよう形成した新規な構成のフィルタを提供することを目的とする。
【課題を解決するための手段】
【０００６】
本発明は上記課題に鑑み成されたものであって、本発明に係るフィルタは、心材の表面に流体中の浮遊物を捕集する修飾部材を施した濾過材と、濾過材を流体通過部に保持する枠部材とを備え、前記修飾部材は、流体通過方向に所定の寸法を有する空間部において流体を通過させる通路が多方向に形成されていることを特徴とする。ここにおいて、心材は、例えば、断面が円形、四角形、その他の特殊な形状の線状部材により形成される。また、心材の表面に設ける修飾部材は、心材の全表面に設ける必要はなく部分的に設けたものでもよい。例えば、心材表面の吸込側にのみ設けたものでもよい。
【０００７】
上述の如く構成された本発明に係るフィルタによれば、流体が修飾部材を通過する際に、この修飾部材に形成された多方向の通路を通過するので、流体を通過させる通路全体の面積を大きく維持した状態で、個々の通路を小さくすることができる。この結果、浮遊物の捕集効率が大きくなるとともに、細かい浮遊物の捕集を行うことができる。
【０００８】
また、前記濾過材は、前記心材が柔軟性材料から構成され、長尺物として前記枠部材内に湾曲させて配置されているのが好ましい。このように構成すれば、濾過材の配置の自由度を向上させることができる。また、空気調和機等の流体通路の形状に合わせた形状や大きさのフィルタに形成することが容易となる。
【０００９】
また、前記濾過材は、前記修飾部材で約１０ミクロン程度及びそれより大きい流体中の浮遊物を捕集できるように前記修飾部材形成されているのが好ましい。このように構成すれば、空気等の流体中に浮遊する髪の毛、微生物の死骸、ハウスダストなど主要な浮遊物を略捕集することができる。
【００１０】
また、前記濾過材は、心材の表面に線状部材からなる修飾部材が静電式の植毛により設けられているものとしてもよい。このように構成することにより、長い線状の修飾部材を形成することができ、浮遊物の捕集効率を向上させることができる。
【００１１】
また、前記修飾部材は線状部材により形成され、前記濾過材は前記心材の表面に前記修飾部材が静電式の植毛により設けられているものとしてもよい。このように構成すれば、修飾部材を心材の表面に対し容易に略垂直となるように立設することができるので、修飾部材を心材間に有効に配置することができる。
【００１２】
また、前記濾過材は、前記心材が単線状部材により形成され、この心材の表面全周に前記修飾部材が放射状に設けられているものとしてもよい。このように構成すれば、流体通過方向に厚みのあるフィルタを形成できるので、浮遊物の捕集効率を高めることができる。
【００１３】
また、前記濾過材は、前記修飾部材が複数本に分岐された形状であってもよい。このように構成すれば、修飾部材に形成する流体の通路を容易に小さくすることができる。
また、前記濾過材は、フィルタの厚み方向に設けられている修飾部材の長さが他の方向に設けられている修飾部材の長さより短くなるように形成してもよい。このようにすると、フィルタの流体通過方向の寸法を小さくして薄いフィルタとすることができる。このようなフィルタは、空気調和機をコンパクトにしたり、薄型にしたりする場合に好適である。
【００１４】
また、前記濾過材は、前記心材が樹脂により形成されているように構成してもよい。このようにすれば、心材の断面形状を円形、楕円形、四角形その他種々の形状に容易に製作することができる。
【００１５】
また、前記濾過材は、心材が環状に形成されて枠部材に固定されているものとしてもよい。このように構成すれば、濾過材の端部を枠部材へ固定することが不要となり、濾過材端部からの損傷や端部の外れなどの不具合の発生を抑制することができる。
【００１６】
また、前記濾過材は、心材の両端が固定部材に固定され、この固定部材が枠部材に固定されているものとしてもよい。このように構成すれば、前述の環状に形成された濾過材に比し、製作が容易であり、各種機種間の共通性も増すため、コストを軽減することができる。
【００１７】
また、前記濾過材は、表面を粘着処理してもよい。このようにすれば、粘着力により濾過材で捕集された浮遊物を再飛散させることなく確実に捕集することができ浮遊物の捕集効率を高めることができる。
【００１８】
また、前記濾過材は、表面を帯電処理してもよい。このように構成すれば、修飾部材に浮遊物を電気的に引き付けることができ、浮遊物の再飛散を抑制して浮遊物の捕集効率をより一層向上させることができる。
【００１９】
また、本発明に係る空気調和機は、上記記載のフィルタを用いたものであるので、浮遊物の捕集効率の高い空気調和機とすることができる。
【発明の効果】
【００２０】
本発明に係るフィルタによれば、流体が修飾部材を通過する際に、この修飾部材に形成された多方向の通路を通過するので、流体を通過させる通路全体の面積を大きく維持した状態で、個々の通路を小さくすることができるので、浮遊物の捕集効率を大きくするとともに、細かい浮遊物の捕集を行うことができる。また、本発明にかかる空気調和機によれば、このようなフィルタを使用するので浮遊物の捕集効率の高い空気調和機を提供することできる。
【発明を実施するための最良の形態】
【００２１】
以下、この発明の実施の形態に係るフィルタ及びこのフィルタを用いた空気調和機用室内ユニットについて、図面に基づき説明する。なお、各実施の形態についての重複説明を避けるために各図面において共通する部分には同一の符号を付し、各実施の形態におけるその部分の説明を省略又は簡略化する。
【００２２】
まず初めに、この実施の形態に係るフィルタを備えた空気調和機用の室内ユニットの斜視断面図を図１に示す。この空気調和機は、図１に示すように、ユニット内に、フィルタ１と、室内空気を冷却又は加熱する熱交換器２と、送風機３が収納されている。また、この空気調和機は、外装ケース４の正面から上面にかけての湾曲状の面に吸込グリル５が形成され、さらに、外装ケース４の前面下方から下面にかけて吹出グリル６が形成されている。
【００２３】
フィルタ１は、吸込グリル５の内面に略沿うような形状に形成されている。このフィルタ１は、図２に示すような長尺ブラシ状の濾過材１０と、この濾過材１０を流体通過部に配置して保持する枠部材２０とを備えたものである。濾過材１０は、図３及び図４に示すように蛇行状に枠部材２０内に配置されている。図３は、上方部が内方へ折れ曲がった形状の枠部材２０内に、上記長尺ブラシ状の濾過材１０が蛇行状に配置されていることを示しているものである。なお、この図３では、濾過材１０の中心位置のみが実線により示されている。図４は、このフィルタ１をさらに具体的にイメージするように図示したもので、フィルタ１を高さ方向に平面状に展開した展開図として示している。濾過材１０は、図４に示すように、回転軸の表面から心材１１の表面に達する高さの突部を歯車状に複数形成した支持部材２２とガイド壁２３とを使用してヘアピン状に複数回折り曲げられ、フィルタ１の右側方部において蛇行部の始めと終わり部とが連結されることにより、無端状の連続体、つまり環状に形成されている。
【００２４】
濾過材１０は、図２に示すように、心材１１の表面に、心材１１より細い線状部材からなる修飾部材１２を設けたものである。心材１１は、修飾部材１２を設けるために線状部材１１ａの表面に導電性接着剤１１ｂが塗布されている。心材１１及び修飾部材１２は、枠部材２０内に蛇行状に配置することを容易にするために柔軟性のある材料により湾曲自在に形成されていることが好ましい。また、修飾部材１２は、空気中に浮遊する浮遊物を捕集するものであって、流体が流通する通路を多方向に形成する。より具体的には、修飾部材１２は、図２の例では、松葉状に二股に枝分かれした線状部材により多方向に流体を流通させる通路が形成される。心材１１及び修飾部材１２を構成する線状部材の材料としては、ナイロン、ポリエチレン等の樹脂材料、鋼、銅合金などの金属線を用いることができる。
【００２５】
修飾部材１２を心材１１の表面に設ける方法としては、適宜の方法で植毛すればよい。植毛方法は特に限定されるものではないが、例えば静電式の植毛により設けることができる。ここで、静電式の植毛について、図５を参照しながら簡単に説明する。まず、心材１１を構成する線状部材１１ａの表面に導電性接着剤１１ｂを塗布する。このように構成された心材１１をアースしておく。また、この心材１１に対峙して細い線状部材を放出する放出装置３０を設置し、この放出装置３０を高電圧の負極にしておく。このようにすると、心材１１の表面は正に帯電し、心材１１と放出装置３０との間には静電界３５が形成される。このため、放出装置３０から放出された細い線状部材は、軸方向が磁力線に沿う方向となって心材１１の表面に引き寄せられる。この結果、細い線状部材が心材１１の表面に対し垂直方向に接着固定される。接着剤の塗布の位置、細い線状部材の形状、細い線状部材の放出量、放出装置３０に対する心材１１の移動速度、マスキングの利用等種々の条件を変化させえることにより、細い線状部材からなる修飾部材１２の形状、ピッチ、設ける位置などを調整することができる。修飾部材１２は、空気中に浮遊する浮遊物をからめ採るものであるため、約１０ミクロン程度及びそれより大きい浮遊物を捕集できるように多方向に流体流通路を形成していることが好ましい。
【００２６】
一方、枠部材２０は、フィルタ１の枠を構成するものであって、樹脂成型品として形成された外周枠部２１を備えるとともに、濾過材１０の曲げ部に歯車状の支持部材２２とガイド壁２３を配置するとともに、濾過材１０を枠部材２０内に安定的に保持するための押さえステー２４が複数本配置されている。
【００２７】
上記のように構成された空気調和機では、運転開始とともに送風機３が運転され、室内空気が吸込みグリル５、フィルタ１を通過し熱交換器２に送られる。室内空気は、フィルタ１を通過する際に浮遊物が捕集され、清浄な空気となって熱交換器２を通過する際に冷却又は加熱される。
【００２８】
フィルタ１における浮遊物の捕集は、空気中の浮遊物が修飾部材１２に多方向に形成される流体の通路を通る際に、この通路の断面より大きい浮遊物が捕集される。修飾部材１２に形成される流体の通路は、前述の従来のフィルタのように室内空気吸い込み面に平面的に形成された網目ではなく、流体通過方向に所定の寸法を有する空間部において、つまりフィルタ１の厚み方向に所定の寸法を有する空間部において多方向に形成される。このため、修飾部材１２間に形成される流体の通路を小さくしても空気通過面積を大きく保持することが可能となり、修飾部材１２を通過する風速を抑制することができる。この結果、修飾部材１２で絡め取られて捕集する浮遊物量が増加し、捕集された浮遊物の再飛散率を低下するので、浮遊物の捕集効率が向上する。また、流体を通過させる通路全体から構成される空気通過面積を大きくすることができるため、空気通過抵抗を小さくすることもできる。
【００２９】
上記のように構成された実施の形態に係るフィルタでは次のような作用効果を奏することができる。
（１）修飾部材１２が空気通過方向に所定の寸法を有する空間部において流体を通過させる通路が多方向に形成されているので、流体を通過させる通路全体の面積を大きく維持した状態で、個々の通路を小さくすることができるので、浮遊物の捕集効率を大きくするとともに、細かい浮遊物の捕集を行うことができる。
【００３０】
（２）心材１１が柔軟性材料により形成され、濾過材１０が長尺物の連続体として枠部材２０内に湾曲状に配置されているので、空気調和機等の空気通路の形状に合わせた形状や大きさのフィルタに形成することが容易となる。
【００３１】
（３）修飾部材１２で約１０ミクロン程度及びそれより大きい空気中の浮遊物を捕集できるように構成されているので、空気中に浮遊する髪の毛、微生物の死骸、ハウスダストなど主要な浮遊物を略捕集することができる。
【００３２】
（４）濾過材１０が心材１１の表面に植毛により設けられているので、長い線状の修飾部材を形成することができ、浮遊物の捕集効率を向上させることができる。
（５）特に、本実施の形態においては、修飾部材１２が静電式方法の植毛により心材１１の表面に設けられているので、修飾部材１２を心材１１の表面に略垂直となるように設けることができ、修飾部材１２を心材１１間に有効に配置することができる。
【００３３】
（６）この実施の形態においては、濾過材１０は、心材１１を単線の線状部材から構成し、この心材１１の表面全周に修飾部材１２を放射状に設けているので、空気通過方向に厚みのある立体的なフィルタを形成できるので、浮遊物の捕集効率を高めることができる。
【００３４】
（７）修飾部材１２は複数本に分岐された形状、この場合は松葉状に形成されているので、流体を通過させる通路を容易に小さくすることができる。
（８）濾過材１０は、心材が環状に形成されて枠部材２０に固定されているので、濾過材１０端部を枠部材２０へ固定することが不要となり、濾過材１０端部からの損傷や端部の外れなどの不具合の発生を抑制することができる。
【００３５】
（９）また、この実施の形態に係る空気調和機によれば、上述のようなフィルタ１を用いているので、浮遊物の捕集効率の高い空気調和機とすることができる。
（変形例１）
上記実施の形態において、さらに、浮遊物の捕集効率を上げるために、心材１１及び修飾部材１２の表面に粘着材をコーティングしてもよい。粘着材としては、従来から公知のものでよく、例えば、シリコーン樹脂を挙げることができる。シリコーン樹脂をコーティングすると、シリコーン樹脂の粘着性により修飾部材１２に接触する浮遊物を捕集することができ、いったん捕集された浮遊物の再飛散を防止することができる。なお、シリコーン樹脂をコーティングすることは、従来のフィルタにおいても用いられているが、平面的な網目構造の従来のものに比しこの発明のフィルタでは、修飾部材１２が、流体通過方向に所定の寸法を有する空間部において流体を通過させる通路が多方向に形成されているため、空気中の浮遊物が修飾部材１２に接触する確率が高くなり、シリコーン樹脂コーティングの効果をより一層発揮させることができる。
【００３６】
（変形例２）
また、上記実施の形態及び変形例１において、帯電材料を心材１１及び修飾部材１２の表面にコーティングしてもよい。帯電材料としては、従来から公知のものでよく、例えば、フッ素樹脂を挙げることができる。フッ素樹脂をコーティングした場合には、このフッ素樹脂は帯電しやすいために浮遊物を電気的に引き付けることができ、いったん捕集された浮遊物の再飛散を防止することができる。なお、フッ素樹脂をコーティングすることは、従来のフィルタにおいても用いられているが、平面的な網目構造の従来のものに比しこの発明のフィルタでは、修飾部材１２が、流体通過方向に所定の寸法を有する空間部において流体を通過させる通路が多方向に形成されている、空気中の浮遊物が修飾部材１２に引き付けられる確率が高くなり、フッ素樹脂コーティングの効果をより一層発揮させることができる。
【００３７】
（変形例３）
前述の実施の形態では、修飾部材１２が松葉状に形成されていたが、他の形状のものとしてもよい。その例を、図６に示す。これら図面は、修飾部材１２の形状を模式的に示したものであるので、各修飾部材１２が一定間隔に規則的に整列しているように記載されているが、実際的には不規則的な間隔及び向きに設けられるものでよい。また、ここでは修飾部材１２の形状を示すのが主な説明事項であるので、長尺物の濾過材１０の軸方向に垂直な面から見た図のみを示している。
【００３８】
修飾部材１２は、図６（ａ）に示す１本の線状のものでもよい。同様に、同図（ｂ）の３本に分岐されたもの、同図（ｃ）の螺旋形状のもの、同図（ｄ）の木の枝状のもの、同図（ｅ）のジグザグ状のもの、同図（ｆ）の発泡樹脂によりフットボール状に形成されたものなど、種々変形することができる。なお、これら修飾部材１２を設ける制作方法は、前述の静電植毛の方法で製作することができる。また、上記各変形例に記載のもの及び前記実施の形態に記載の修飾部材を同一の心材に対し混合して設けるようにしてもよい。
【００３９】
（変形例４）
また、上記実施の形態及び各変形例では、濾過材１０の心材１１は、断面円形であったが、これに限定されるものではなく、図７に示すように、断面を４角形にしてもよく、叉他の適宜の形状にしてもよい。
【００４０】
（変形例５）
上記実施の形態及び各変形例では、濾過材１０の軸方向に直角な断面において各方向に同様対称的な形状としているが、これに拘るものではない。例えば、図８に示すものは、図面における上下方向に薄くなるように形成したものである。この濾過材１０は、前述の図６（ａ）に示す形状のものを製作した後、図８に図示する一点鎖線Ａ、Ｂの位置で修飾部材１２の図２における状態の上下を切り落としたものである。このようにすると上下方向に薄い濾過材１０ができる。したがって、このように形成された濾過材１０の上下方向がフィルタ１の厚み方向（流体通過方向）となるようにフィルタ１を構成すると、厚みの薄いフィルタ１とすることができる。また、このようなフィルタ１は、薄型又はコンパクトなエアコン用に好適である。
【００４１】
（変形例６）
上記実施の形態及び各変形例では、修飾部材は図５に示した方法により形成できることを一例として示しているが、本発明はこのよう方法及び構造に拘るものではない。例えば、図９に示すように、２本の線状部材４１間に細い線状部材４２を挟み込み、線状部材４２を挟んだ状態で２本の線状部材４１を捻って螺旋状により合わせた構造とする。このようにすることにより、２本の線状部材４１を心材として周囲に線状部材４１が突出する構成のものを製作することができる。これを前述の濾過材１０に代えて使用するようにしてもよい。
【００４２】
（変形例７）
前述の実施の形態においては、濾過材は無端状の、つまり環状の長尺物に形成していたが、環状でない長尺物とすることもできる。図１０はその一例を示したものである。濾過材１０は断面は前述の実施の形態に記載したものと同一である。枠部材２０内において、一端は左方中央部において支持部材５１に固定され、この支持部材５１と右方中央部の支持部材５２とを軸として、時計方向に渦巻状に長円形を描きながら巻き付けられている。なお、この渦巻状に巻き付けるときは、内周側の修飾部材１２と外周側に位置する修飾部材１２とが、巻き付け力により相互に突き刺さるように絡む可能性があるので、その境界線にフィルム状のセパレータ５３を沿わせた状態で巻き付けている。これにより、修飾部材１２が相互に突き刺さるのを防止し、心材１１間の間隔を均一に保持している。なお、濾過材１０の他方の一端は、枠部材２０の外周部に固定された固定部材５４に取り付けられて固定されている。このように構成すれば、前述の実施の形態における環状の濾過材１０に比し、製作が容易であり、各種機種間の共通性も増すため、コストを軽減することができる。
【００４３】
（変形例８）
変形例８は、線状部材からなる濾過材を環状に形成し、この濾過材を環状経路に沿って移動させるようにするとともに、その一部の経路に濾過材に付着した浮遊物を回収する回収装置を取り付けたものである。この変形例を図１１〜図１４に基づき説明する。
【００４４】
この変形例におけるフィルタ１００は、先の実施の形態におけるものと類似の形態をしている。すなわち、フィルタ１００は、図１１及び図１２に示すように、帯状の濾過材１１０と、この濾過材１１０を前述の実施の形態のものと同様の蛇行状にして所定位置に保持する枠部材１２０と、枠部材１２０に固定された、濾過材１１０の浮遊物を払い落として回収するための回収装置１３０とを備えている。なお、図１１はフィルタ１００の斜視図であり前記図３に相当する図面である。また、図１２はこのフィルタ１の展開図であり、前述の図４に相当する。
【００４５】
フィルタ１００における濾過材１１０は、図１３に示すように、断面が長方形を成す線状部材からなる心材１１１を有する。心材１１１は、柔軟性材料により湾曲自在に形成された樹脂成型品である。また、心材１１１には、濾過材１１０を回転支持するスプロケット１２２（後記参照）の歯部１２２ｂを係合させるための係合孔１１２が一定間隔に多数設けられている。この係合孔１１２は、フィルタ１００の厚さ方向に長い長方形の孔に形成されている。そして、心材１１１における係合孔１１２の吸込側部分（図１３（ａ）における上方部分）に前述の実施の形態１における修飾部材１２と同様の松葉状の修飾部材１１５が静電植毛されている。なお、この変形例では、スプロケット１２２との干渉を避けるために吸込側となる上方部のみに修飾部材１１５が設けられているが、風下側となる下方側に設けてもよい。なお、この変形例における心材において、静電植毛する部分には導電性の接着剤が塗布されているが、図面上では図示を省略している。
【００４６】
枠部材１２０は、濾過材１１０を蛇行状に配置して、配置した形状で循環移動させるために、図１１及び図１２に図示するように、枠部材１２０の右側面下方の曲がり部に、スプロケット１２２を配置するとともに、他の各曲がり部には心材１１１の表面に接触して心材１１１を支持するローラ状の支持部材１２５を設けている。また、ヘアピン状に曲がる部分には、濾過材１１０の循環移動を円滑に進めるために、枠部材に一体的に形成されたガイド壁１２３が配置されている。また、濾過材１１０をこのように蛇行状に配置した状態で安定的に枠部材１２０に保持するために、枠部材１２０にはステー１２４が形成されている。
【００４７】
スプロケット１２２は、図１３（ａ）〜（ｃ）に示すように、ドラム状の本体部１２２ａの周囲に係合孔１１２に係合するための歯部１２２ｂが形成されている。また、本体部１２２ａの両端に回転支持軸１２２ｃ、１２２ｄが設けられている。また、スプロケット１２２は、モータにより回転駆動されている。スプロケット１２２がモータにより図１３（ａ）における矢印方向に回転駆動されることにより、歯部１２２ｂが係合孔１１２に係合して、濾過材１１０を、配置された形状を保持しながら図１２における矢印方向に循環移動させている。
【００４８】
回収装置１３０は、図１４に示すように上部に修飾部材１１５に付着した浮遊物を払い落とす回収部１３１と、払い落された浮遊物を受けて貯留する貯留部１３２とから構成されている。回収部１３１には、濾過材１１０が通過する通路１３３が設けられ、この通路１３３の途中２箇所に接触部１３４が配置されている。接触部１３４は、濾過材１１０を通過させる狭い通路を形成しており、この通路を形成する壁部の角部に修飾部材１１５を押し当てながら移動させることにより、修飾部材１１５に付着している浮遊物を払い落すものである。貯留部１３２は、回収部１３１で払い落された浮遊物を下方で受け止めて貯留するための容器である。また、この貯留部１３２には、貯留された浮遊物を吸引して外部に放出するための排気ダクト１３５が接続されている。
【００４９】
このように構成された、フィルタ１００は、モータ駆動によりスプロケット１２２が回転し、これにつれて濾過材１１０が、図示された配置状態を維持しながら循環移動する。移動速度は所定期間に１回、例えば１週間に１回循環するように少しずつ間欠的に移動するように調整されている。このように構成されることにより、濾過材１１０は、回収装置１３０において回収されながら循環移動し、所定期間が経過すると一巡して、濾過材１１０全体に付着した浮遊物が回収装置１３０により回収される。また、回収部１３１で払い落とされて貯留部１３２に蓄えられた浮遊物は、定期的に、連続的に、又は運転終了などの適切な時期に排気ダクト１３５から外部に放出される。
【００５０】
本変形例のフィルタ１００によれば、従来の空気調和機のように浮遊物等が溜まったころを見計らって、フィルタ１００の掃除をする必要がなく、利用者の便に寄与するところ大である。
【００５１】
なお、貯留部１３２に排気ダクト１３５を接続することに代えて、貯留部１３２を着脱自在とし、溜まった浮遊物を人手で廃棄するように構成してもよい。また、上記変形例において、回収部１３１における回収機構としては、上記のような接触部１３４に修飾部材１１５を押し当てて浮遊物を払い落とす機構に代えて、空気の吹き付けによる吹き落とし方法や、空気を吸引するときに浮遊物を一緒に吸引する方法や、超音波振動により浮遊物を払い落とす方法などの他の方法に置き換えてもよい。
【００５２】
（変形例９）
変形例９は、変形例８における回収装置１３０の変形例であり、図１５を参照しながら説明する。この変形例における回収装置１４０は、変形例８の場合と同様に、修飾部材１１５に付着した浮遊物を払い落し又は擦り落す回収部１４１と、払い落し又は擦り落しされた浮遊物を受けて貯留する貯留部１４２とから構成されている。回収部１４１には、濾過材１１０が通過する、中間部が狭くなった通路１４３が設けられ、この通路１４３に掻き取り部材としてのブラシ１４４が設けられている。また、この貯留部１４２には、貯留された浮遊物を吸引して外部に放出するための排気ダクト１４５が接続されている。
【００５３】
このような構成において、変形例８との相違は、前述の接触部１３４に代えて修飾部材１１５に付着した浮遊物を回収するためのブラシ１４４を設けた点である。この場合、ブラシ１４４が修飾部材１１５と絡み合うことにより修飾部材１１５に付着していた浮遊物を払い落としまた、擦り落しするものである。この場合、払い落としまた、擦り落しされた浮遊物は通路１４３に形成された多数の孔１４６から貯留部に落とされる。
【００５４】
（変形例１０）
この変形例１０は、変形例８における濾過材１１０の修飾部材の取付を変更したものである。すなわち、この変形例における濾過材１５０では、心材１５１の吸込み側表面に接着剤層１５１ａを設け、この接着剤層１５１ａに対し修飾部材１５２が植毛されている。修飾部材１５２は、１箇所に３本の線状部材が植毛されている。そして、この線状部材は、図１６に矢印で示す流体流れ方向Ｄに対して、心材１５１の軸線と直角方向に広がるようにやや寝かせて植毛されている（図１６（ａ）参照）。また、この線状部材が心材１５１の軸線方向にも広がるように植毛されている（図１６（ｂ）参照）。心材１５１は、前述の変形例８における心材１１１と同様に、係合孔１１２が形成されている。なお、心材１５１は、前述の変形例８における心材１１１に対し幅狭に形成されているが、この幅については適宜変更してよいものであり、格別の意味を有するものではない。この変形例のように、修飾部材１５２を心材１５１の軸線方向及びそれと直角方向に広がるよう植毛することにより、修飾部材に形成される流体を通過させる通路の均一性を向上させることができる。
【産業上の利用可能性】
【００５５】
本発明のフィルタは空気調和機を始め、集塵機、フード、換気扇、その他各種用途のフィルタとして使用することができる。また、取り扱い流体に関しては向上排気ガス中の浮遊物の捕集や、溶液中の浮遊物の捕集や振るいわけにも使用することができる。また、このフィルタを用いた空気調和機用は、家庭用、業務用など各種の空気調和機として利用することができる。
【図面の簡単な説明】
【００５６】
【図１】本発明の実施の形態に係る空気調和機の斜視断面図である。
【図２】同空気調和機用フィルタに用いられている濾過材の斜視図である。
【図３】同空気調和機用フィルタの斜視図である。
【図４】同フィルタの濾過材の配置を示した上下方向の展開図である。
【図５】同フィルタに用いられている濾過材の製法説明図である。
【図６】同濾過材の変形例であり、（ａ）〜（ｆ）に同濾過材における心材の表面に設けられる修飾部材の各種の変形例を示す。
【図７】同濾過材の他の変形例である。
【図８】同濾過材の更なる他の変形例である。
【図９】同濾過材の更なる他の変形例である。
【図１０】変形例７に係る空気調和機用フィルタの展開図である。
【図１１】変形例８に係る空気調和機用フィルタの斜視図である。
【図１２】同フィルタの濾過材の配置を示した上下方向の展開図である。
【図１３】同フィルタにおけるスプロケット周りの説明図であり、（ａ）は斜視図、（ｂ）は平断面図、（ｃ）は垂直断面図である。
【図１４】同フィルタにおける回収装置の断面図である。
【図１５】変形例９に係る空気調和機用フィルタの回収装置の断面図である。
【図１６】変形例１０に係る空気調和機用フィルタにおける濾過材の説明図であって（ａ）は濾過材の軸線に直角な方向から見た図面であり、（ｂ）はその側面図である。
【符号の説明】
【００５７】
１、１００  フィルタ
１０、１１０、１５０  濾過材
１１、１１１、１５１  心材
１２、１１５、１５２  修飾部材
２０、１２０  枠部材
５４  固定部材
【図１】
2007029800.tif 000003
【図２】
2007029800.tif 000004
【図３】
2007029800.tif 000005
【図４】
2007029800.tif 000006
【図５】
2007029800.tif 000007
【図６】
2007029800.tif 000008
【図７】
2007029800.tif 000009
【図８】
2007029800.tif 000010
【図９】
2007029800.tif 000011
【図１０】
2007029800.tif 000012
【図１１】
2007029800.tif 000013
【図１２】
2007029800.tif 000014
【図１３】
2007029800.tif 000015
【図１４】
2007029800.tif 000016
【図１５】
2007029800.tif 000017
【図１６】
2007029800.tif 000018